(57)【要約】【課題】ＲＦＩＤリストバンドの各種の使用態様に適切に対応し、ＲＦＩＤリストバンドの使用者の単独行動はもちろん、集団行動の管理も実行可能であって、ＲＦＩＤリストバンドの使用者および管理者に処理の面倒をかけないようにしたＲＦＩＤリストバンドおよびその使用方法を提供する。【解決手段】第１の周波数によるデータ通信が可能な第１のインレット８、および第２の周波数によるデータ通信が可能な第２のインレット１２を設けることに着目したもので、バンド基材２には、インレットとして、第１の周波数によるデータ通信が可能な第１のインレット８、および第２の周波数によるデータ通信が可能な第２のインレット１２の、少なくともいずれか一方を着脱可能な着脱用孔５を形成している。【選択図】図２
2017068676.tif 000002
【特許請求の範囲】
【請求項１】
バンド基材と、
このバンド基材に取り付けるとともにＩＣチップおよびアンテナを有するインレットと、を有し、手首や足首などの被巻付け部に巻き付け可能なＲＦＩＤリストバンドであって、
前記バンド基材には、
前記インレットとして、第１の周波数によるデータ通信が可能な第１のインレット、および第２の周波数によるデータ通信が可能な第２のインレットの、少なくともいずれか一方を着脱可能な着脱用孔を形成していることを特徴とするＲＦＩＤリストバンド。
【請求項２】
前記バンド基材には、
前記第１のインレットおよび前記第２のインレットの、少なくともいずれか一方を着脱可能としていることを特徴とする請求項１記載のＲＦＩＤリストバンド。
【請求項３】
前記第１の周波数は、ＨＦ帯であることを特徴とする請求項１または２記載のＲＦＩＤリストバンド。
【請求項４】
前記第２の周波数は、ＵＨＦ帯であることを特徴とする請求項１ないし３のいずれかに記載のＲＦＩＤリストバンド。
【請求項５】
前記第１のインレットおよび前記第２のインレットには、当該ＲＦＩＤリストバンドの使用者に応じて視覚による識別が可能なデザインを施していることを特徴とする請求項１ないし４のいずれかに記載のＲＦＩＤリストバンド。
【請求項６】
前記着脱用孔には、当該ＲＦＩＤリストバンドの使用者に応じたアクセサリーを着脱可能としていることを特徴とする請求項１ないし５のいずれかに記載のＲＦＩＤリストバンド。
【請求項７】
バンド基材と、
このバンド基材に取り付けるとともにＩＣチップおよびアンテナを有するインレットと、を有し、手首や足首などの被巻付け部に巻き付け可能なＲＦＩＤリストバンドの使用方法であって、
前記バンド基材には、
前記インレットとして、第１の周波数によるデータ通信が可能な第１のインレット、および第２の周波数によるデータ通信が可能な第２のインレットの、少なくともいずれか一方を着脱可能に取り付けているとともに、
前記第１のインレットは、前記第１のインレットに対して比較的近距離に設置した近距離リーダーライターとの間で前記データ通信を実行し、
前記第２のインレットは、前記第２のインレットに対して比較的遠距離に設置した遠距離リーダーライターとの間で前記データ通信を実行することを特徴とするＲＦＩＤリストバンドの使用方法。
【請求項８】
前記第１のインレットにより、当該ＲＦＩＤリストバンドの使用者の単独行動を管理し、
前記第２のインレットにより、当該ＲＦＩＤリストバンドの使用者の集団行動を管理することを特徴とする請求項７記載のＲＦＩＤリストバンドの使用方法。
【発明の詳細な説明】
【技術分野】
【０００１】
本発明はＲＦＩＤ（Ｒａｄｉｏ  Ｆｒｅｑｕｅｎｃｙ  Ｉｄｅｎｔｉｆｉｃａｔｉｏｎ；無線自動認識）リストバンドおよびその使用方法にかかるもので、とくに遊技場その他の施設、旅行分野や医療分野などにおいて、入場者、ツアー参加者あるいは患者の手首や足首などに巻き付けるようにして取り付けることにより、各人を特定することができるようにしたＲＦＩＤリストバンドおよびその使用方法に関するものである。
【背景技術】
【０００２】
従来から、遊技場その他の施設における入場者、さらにはツアー参加者を確認するために用いられるＲＦＩＤリストバンドは、本人の氏名、住所、生年月日や性別その他必要な情報（特定情報）をその表面に記載ないし印字により表示するとともに、内部に設けたＲＦＩＤインレット（以下、「インレット」という）とリーダーライターとの間で、この特定情報に関するデータ通信を可能とした上で、手首や足首など（被巻付け部）に巻き付けて、本人を特定可能としている。
また、医療用のＲＦＩＤリストバンドも同様に、入院患者の氏名その他必要な上記特定情報に関するデータ通信を可能とした上で、手首や足首などに巻き付けることにより本人を特定可能とし、検査や治療時に本人の照合を可能としている。
【０００３】
当該ＲＦＩＤリストバンドがとくに遊技場やツアーなどに用いられる場合に、本人の意向により所定の場所への入退場はもちろん、スタンプラリーなどのイベントの参加には本人が上記リーダーライターにＲＦＩＤリストバンドを直接かざすことにより、本人の単独行動に対する情報管理にＲＦＩＤリストバンドが使用されてもいる。
【０００４】
一方、とくにツアー参加者など集団行動を必要に応じて管理する場合に、ＲＦＩＤリストバンドを有する参加者が、リーダーライターにその都度ＲＦＩＤリストバンドをかざすことは、面倒であるとともに時間がかかりすぎるという問題、さらにはツアー企画者側にも管理上不便であるなどの諸問題がある。
【先行技術文献】
【特許文献】
【０００５】
【特許文献１】特開２０１０ー２３７８５３号公報
【発明の概要】
【発明が解決しようとする課題】
【０００６】
本発明は以上のような諸問題にかんがみなされたもので、ＲＦＩＤリストバンドの各種の使用態様に適切に対応可能なＲＦＩＤリストバンドおよびその使用方法を提供することを課題とする。
【０００７】
また本発明は、ＲＦＩＤリストバンドの使用者の単独行動はもちろん、集団行動の管理も実行可能なＲＦＩＤリストバンドおよびその使用方法を提供することを課題とする。
【０００８】
また本発明は、ＲＦＩＤリストバンドの使用者および管理者に処理の面倒をかけないようにしたＲＦＩＤリストバンドおよびその使用方法を提供することを課題とする。
【課題を解決するための手段】
【０００９】
すなわち本発明は、インレットとして、第１の周波数によるデータ通信が可能な第１のインレット、および第２の周波数によるデータ通信が可能な第２のインレットを設けることに着目したもので、第一の発明は、バンド基材と、このバンド基材に取り付けるとともにＩＣチップおよびアンテナを有するインレットと、を有し、手首や足首などの被巻付け部に巻き付け可能なＲＦＩＤリストバンドであって、上記バンド基材には、上記インレットとして、第１の周波数によるデータ通信が可能な第１のインレット、および第２の周波数によるデータ通信が可能な第２のインレットの、少なくともいずれか一方を着脱可能な着脱用孔を形成していることを特徴とするＲＦＩＤリストバンドである。
【００１０】
第二の発明は、バンド基材と、このバンド基材に取り付けるとともにＩＣチップおよびアンテナを有するインレットと、を有し、手首や足首などの被巻付け部に巻き付け可能なＲＦＩＤリストバンドの使用方法であって、上記バンド基材には、上記インレットとして、第１の周波数によるデータ通信が可能な第１のインレット、および第２の周波数によるデータ通信が可能な第２のインレットの、少なくともいずれか一方を着脱可能に取り付けているとともに、上記第１のインレットは、上記第１のインレットに対して比較的近距離に設置した近距離リーダーライターとの間で上記データ通信を実行し、上記第２のインレットは、上記第２のインレットに対して比較的遠距離に設置した遠距離リーダーライターとの間で上記データ通信を実行することを特徴とするＲＦＩＤリストバンドの使用方法である。
【００１１】
上記バンド基材には、上記第１のインレットおよび上記第２のインレットの、少なくともいずれか一方を着脱可能としていることができる。
【００１２】
上記第１の周波数は、ＨＦ帯であることができる。
【００１３】
上記第２の周波数は、ＵＨＦ帯であることができる。
【００１４】
上記第１のインレットおよび上記第２のインレットには、当該ＲＦＩＤリストバンドの使用者に応じて視覚による識別が可能なデザインを施していることができる。
【００１５】
上記着脱用孔には、当該ＲＦＩＤリストバンドの使用者に応じたアクセサリーを着脱可能としていることができる。
【００１６】
上記第１のインレットにより、当該ＲＦＩＤリストバンドの使用者の単独行動を管理し、上記第２のインレットにより、当該ＲＦＩＤリストバンドの使用者の集団行動を管理することができる。
【発明の効果】
【００１７】
本発明によるＲＦＩＤリストバンドおよびその使用方法においては、第１の周波数によるデータ通信が可能な第１のインレット、および第２の周波数によるデータ通信が可能な第２のインレットの、少なくともいずれか一方を着脱可能としたので、ＲＦＩＤリストバンドを用いるそれぞれの使用態様に応じた情報管理を実現可能である。
【００１８】
とくに第一の発明のＲＦＩＤリストバンドによれば、第１の周波数によるデータ通信が可能な第１のインレット、および第２の周波数によるデータ通信が可能な第２のインレットの、少なくともいずれか一方を着脱可能に取り付け可能な着脱用孔をバンド基材に形成しているので、ＲＦＩＤリストバンドを有する使用者がリーダーライターに対して近距離あるいは遠距離にいても、必要な情報管理を行うことができる。
【００１９】
とくに第二の発明のＲＦＩＤリストバンドの使用方法によれば、第１のインレットは、第１のインレットに対して比較的近距離に設置した近距離リーダーライターとの間でデータ通信を実行し、第２のインレットは、第２のインレットに対して比較的遠距離に設置した遠距離リーダーライターとの間でデータ通信を実行するようにしたので、ＲＦＩＤリストバンドの使用者および管理者ともに、情報管理を操作性良好かつ効率的に行うことができる。
【図面の簡単な説明】
【００２０】
【図１】本発明の実施例によるＲＦＩＤリストバンド１の平面図である。
【図２】同、第２のインレット１２の第２のインレット収納部１３、およびアクセサリー１４を取り付ける形態を示したＲＦＩＤリストバンド１の平面図である。
【図３】同、ＲＦＩＤリストバンド１との間のデータ読み取り・書き込み処理の概略説明図である。
【図４】同、第１の所定管理空間２３の概略平面図である。
【図５】同、第２の所定管理空間２５の概略平面図である。
【発明を実施するための形態】
【００２１】
本発明は、インレットとして、第１の周波数によるデータ通信が可能な第１のインレット、および第２の周波数によるデータ通信が可能な第２のインレットの、少なくともいずれか一方を着脱可能に設けることができるようにして、ＲＦＩＤリストバンドを用いるそれぞれの使用態様に応じた情報管理を実現可能なＲＦＩＤリストバンドおよびその使用方法を実現した。
【実施例】
【００２２】
つぎに本発明の実施例によるＲＦＩＤリストバンド１およびその使用方法を図１ないし図５にもとづき説明する。
図１は、ＲＦＩＤリストバンド１の平面図であって、ＲＦＩＤリストバンド１は、バンド基材２と、バックル３と、を有する。
【００２３】
バンド基材２は、任意の剛性および柔軟性を有する合成樹脂製のベルト材であって、インレット収納部４（第１のインレット収納部）を有し、この第１のインレット収納部４の左右に位置する一対の着脱用孔５と、バックル３の留め金６を嵌め込む所定数の留め孔７と、を形成している。
【００２４】
第１のインレット収納部４には、インレット８（第１のインレット）を内蔵しているとともに、その表面に、必要な視覚情報を表示可能としている。
上記第１のインレット８は、そのベースフィルム９上にＩＣチップ１０およびアンテナ１１を有する。
第１のインレット８は、第１の周波数、たとえばＨＦ帯（３ＭＨｚ〜３０ＭＨｚ（好ましくは１３．５６ＭＨｚ））あるいは１３５ｋＨｚ以下など、その他、所定の周波数帯の電磁的作用などにより、アンテナ１１を介してＩＣチップ１０に必要なデータの無線による読み取りおよび書き込み（データ通信）を行う。
ただし、それぞれの使用電波に応じてＩＣチップ１０およびアンテナ１１（一般的にはループ状アンテナ）の具体的構成を適正なものとしている。
ＨＦ帯の周波数を用いることにより、約５０ｃｍ以下程度の無線データ通信が可能である。
【００２５】
なお、バンド基材２の第１のインレット収納部４部分における第１のインレット８は、内部空気層あるいはエポキシ樹脂その他の硬質樹脂など必要な保護補強機構（いずれも図示せず）を設けることにより、ＲＦＩＤリストバンド１の使用にもとづく第１のインレット８の破損を防止可能としている。
【００２６】
また、ＲＦＩＤリストバンド１を被巻付け部にリング状に取り付けるための構成としては、バックル３以外に、所定の留め具（図示せず）を用いたり、バンド基材２に形成した凸部および凹部の係合構成など、任意の構造を採用可能である。
【００２７】
本発明のＲＦＩＤリストバンド１としては、こうした構成のままでも、一般的なＲＦＩＤリストバンド１として使用可能であるが、ＲＦＩＤリストバンド１には、第１の周波数とは異なる第２の周波数によるデータ通信が可能な第２のインレット１２を収納する第２のインレット収納部１３、あるいは当該ＲＦＩＤリストバンド１の使用者に応じたアクセサリー１４を着脱可能としている。
【００２８】
すなわち、図２は、第２のインレット１２の第２のインレット収納部１３、およびアクセサリー１４を取り付ける形態を示したＲＦＩＤリストバンド１の平面図であって、上記着脱用孔５のいずれか一方に第２のインレット収納部１３（第２のインレット１２）を着脱可能に取り付けるとともに、必要に応じて他方の着脱用孔５にアクセサリー１４を着脱可能に取り付けることができる。
【００２９】
第２のインレット１２は、図２にその側面を示すように、そのベースフィルム１５上にＩＣチップ１６およびアンテナ１７を有する。
第２のインレット１２は、第２の周波数、たとえばＵＨＦ帯（３００ＭＨｚ〜３ＧＨｚ（好ましくは８６０〜９６０ＭＨｚ、さらに具体的には、４３３ＭＨｚ、９００ＭＨｚ、９１５〜９２８ＭＨｚ、９５０〜９５８ＭＨｚ）やマイクロ波（１〜３０ＧＨｚ、具体的には２．４５ＧＨｚ）、所定の周波数帯の電波作用などにより、アンテナ１７を介してＩＣチップ１６に必要なデータの無線による読み取りおよび書き込み（データ通信）を行う。
ただし、それぞれの使用電波に応じてＩＣチップ１６およびアンテナ１７（一般的にはダイポール状アンテナ）の具体的構成を適正なものとしている。
ＵＨＦ帯の周波数を用いることにより、最大約１００ｍ程度の無線データ通信が可能である。
【００３０】
なお、バンド基材２の第１のインレット収納部４部分における第１のインレット８（図１）と同様に、第２のインレット１２を収納している第２のインレット収納部１３は、所定の剛性および柔軟性を有する材料からこれを構成するとともに、内部空気層あるいはエポキシ樹脂その他の硬質樹脂など必要な保護補強機構（図示せず）を設けることにより、ＲＦＩＤリストバンド１の使用にもとづく第２のインレット１２の破損を防止可能としている。
【００３１】
第２のインレット１２には、その側面図を図２に示しているように、その底部に軸部１８および拡径部１９を一体形成してあり、バンド基材２への第２のインレット１２の着脱を可能としている。
すなわち、軸部１８が、バンド基材２の柔軟性により、着脱用孔５の中心孔５Ａに嵌り込み、拡径部１９が着脱用孔５の両腕孔５Ｂに嵌り込むようにして着脱を可能としている。
【００３２】
第１のインレット８（第１のインレット収納部４）および第２のインレット１２（第２のインレット収納部１３）には、当該ＲＦＩＤリストバンド１の使用者に応じて視覚による識別が可能な、大きさ、形状、色その他のデザインを施している。このデザインの相違により、ＲＦＩＤリストバンド１の使用者が属する集団ないし特性を視覚的に表示可能である。
【００３３】
アクセサリー１４には、必要な大きさ、形状（図示の例では星形）、色その他のデザインを施して、ＲＦＩＤリストバンド１の使用者の好みないしは要望に応じることができるようにするとともに、使用者の識別も可能とする。
アクセサリー１４の底部にも第２のインレット１２と同様に、その底部に軸部１８および拡径部１９を一体形成してあり、着脱用孔５へのアクセサリー１４の着脱を可能としている。
【００３４】
こうした構成のＲＦＩＤリストバンド１の使用にあたっては、第１のインレット８および第２のインレット１２に必要な情報をあらかじめ、読み取りあるいは書き込む。
図３は、ＲＦＩＤリストバンド１との間のデータ読み取り・書き込み処理の概略説明図であって、ＲＦＩＤリストバンド１における第１のインレット８は、パソコンその他の管理端末２０に接続した近距離リーダーライター２１との間でデータ通信を実行し、ＲＦＩＤリストバンド１に取り付ける予定の第２のインレット１２は、遠距離リーダーライター２２との間で必要なデータ通信を行う。
【００３５】
こうした構成のＲＦＩＤリストバンド１によれば、手首や足首などの被巻付け部にＲＦＩＤリストバンド１を巻き付けた使用者について、その単独行動および集団行動をともに管理可能である。
まず、図４は、第１の所定管理空間２３の概略平面図であって、第１の所定管理空間２３には、近距離リーダーライター２１および近距離用管理端末２４を設けてある。
ＲＦＩＤリストバンド１の使用者は、第１の所定管理空間２３のゲートの部分において、自分のＲＦＩＤリストバンド１の、とくに第１のインレット８を近距離リーダーライター２１に近接ないしは押し当てることにより、第１の所定管理空間２３内への入場を確認可能とする。なお、必要となれば、第１の所定管理空間２３から退場する際にも第１のインレット８を近距離リーダーライター２１に近接ないし押し当てる。
もちろん、第１の所定管理空間２３の入退場に限らず、たとえば、スタンプラリーなどのイベントにおいて、必要箇所に設置した近距離リーダーライター２１とＲＦＩＤリストバンド１との間のデータ通信を行うように使用することもできる
【００３６】
かくして、第１のインレット８は、第１のインレット８に対して比較的近距離に設置した近距離リーダーライター２１との間でデータ通信を実行し、第１のインレット８により、当該ＲＦＩＤリストバンド１の使用者の単独行動を管理することができる。
【００３７】
図５は、第２の所定管理空間２５の概略平面図であって、第１の所定管理空間２３には、遠距離リーダーライター２２および遠距離用管理端末２６を設けてある。
ＲＦＩＤリストバンド１の使用者は、第２の所定管理空間２５のゲートの部分において、自分のＲＦＩＤリストバンド１の、とくに第２のインレット１２を遠距離リーダーライター２２が無線通信を行うので、特別の操作を行うことなく、第２の所定管理空間２５内への入場（たとえば、所定のイベント会場や観光バスなど）を確認可能とする。
もちろん、第２の所定管理空間２５への入退場に限らず、必要箇所に設置した遠距離リーダーライター２２の位置を通過したか否かの確認などにも応用可能である。
【００３８】
かくして、第２のインレット１２は、第２のインレット１２に対して比較的遠距離に設置した遠距離リーダーライター２２との間でデータ通信を実行し、当該ＲＦＩＤリストバンド１の使用者の集団行動を管理することができる。
なお、病院や介護施設などでは、とくに徘徊患者の単独行動を管理可能である。
【００３９】
本発明においては、第１のインレット８および第２のインレット１２の、少なくともいずれか一方をバンド基材２に対して着脱可能としている。
したがって、上述の実施例とは逆に、第１の周波数によるデータ通信が可能な第１のインレット８を着脱用孔５に着脱可能とするとともに、第２の周波数によるデータ通信が可能な第２のインレット１２をバンド基材２に固着状態で取り付けておくこともできる。
もちろん、第１のインレット８および第２のインレット１２をともにバンド基材２に対して着脱可能とすることもできる。
第１のインレット８および第２のインレット１２を着脱可能とすることにより、ＲＦＩＤリストバンド１の使用終了後にこれらを回収し、データを新たに入力し直して再使用することが可能である。
【符号の説明】
【００４０】
１  ＲＦＩＤリストバンド（実施例、図１、図２）
２  バンド基材
３  バックル
４  第１のインレット収納部
５  着脱用孔
５Ａ  着脱用孔５の中心孔
５Ｂ  着脱用孔５の両腕孔
６  バックル３の留め金
７  留め孔
８  第１のインレット（図１）
９  ベースフィルム
１０  ＩＣチップ
１１  アンテナ
１２  第２のインレット（図２）
１３  第２のインレット収納部
１４  アクセサリー（図２）
１５  ベースフィルム
１６  ＩＣチップ
１７  アンテナ
１８  第２のインレット収納部１３の軸部
１９  第２のインレット収納部１３の拡径部
２０  パソコンその他の管理端末（図３）
２１  近距離リーダーライター（図３、図４）
２２  遠距離リーダーライター（図３、図５）
２３  第１の所定管理空間（図４）
２４  近距離用管理端末
２５  第２の所定管理空間（図５）
２６  遠距離用管理端末
【図１】
2017068676.tif 000003
【図２】
2017068676.tif 000004
【図３】
2017068676.tif 000005
【図４】
2017068676.tif 000006
【図５】
2017068676.tif 000007